【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
ホログラムを提供する回折構造を含む基板を含み、前記ホログラムが複数のホログラフィック画像を符号化（ｅｎｃｏｄｅ）し、前記複数のホログラフィック画像の各画像が前記基板から所定の実効光路長のところにホログラフィック位置を有し、前記複数のホログラフィック画像の各画像の前記基板からの前記所定の実効光路長が、前記複数のホログラフィック画像のその他の画像の前記基盤からの前記所定の実効光路長と異なり、前記複数のホログラフィック画像が距離を表す較正スケールを提供し、前記複数のホログラフィック画像が前記基板からの距離のスケールを提供し、
前記基板からの前記複数のホログラフィック画像のある画像の実効光路長が、光学的焦点調節機器の結像面からの前記画像の実効光路長に対応するように前記基板と位置合わせされた焦点調節機器であって、前記焦点調節機器は、物体が位置する前記結像面からの距離を求めるために、前記結像面に、測定される物体の画像および前記複数のホログラフィック画像のある画像を合焦するように動作する可変焦点レンズを有する、
測定機器。
【請求項２】
前記焦点調節機器は、前記基板からの前記複数のホログラフィック画像のある画像の実効光路長が光学的焦点調節機器の結像面からの前記画像の実効光路長と実質的に等しくなるように前記基板と位置合わされている、請求項１に記載の測定機器。
【請求項３】
ホログラムを提供する回折構造を含む基板を含み、
前記ホログラムが、複数のホログラフィック画像を符号化（ｅｎｃｏｄｅ）し、前記複数のホログラフィック画像の各画像が前記基板から所定の実効光路長のところにホログラフィック位置を有し、前記複数のホログラフィック画像の各画像の前記基板からの前記所定の実効光路長が、前記複数のホログラフィック画像のその他の画像の前記基盤からの前記所定の実効光路長と異なり、前記複数のホログラフィック画像の各々が距離を表す較正スケールを提供する、測定機器。
【請求項４】
前記複数のホログラフィック画像が前記基板からの距離のスケールを提供する、請求項３に記載の測定装置。
【請求項５】
前記複数のホログラフィック画像が、一定の間隔の前記基板からの実効光路長を記す連続した画像である、請求項１〜４のいずれかに記載の測定機器。
【請求項６】
前記複数のホログラフィック画像の前記各画像が、前記基板からの前記各画像の実効光路長の記号表現を含む、請求項１〜５のいずれかに記載の測定機器。
【請求項７】
前記複数のホログラフィック画像のそれぞれの前記所定の実効光路長の詳細を提供するオペレータガイドをさらに含む、請求項１〜６のいずれかに記載の測定機器。
【請求項８】
前記基板からの前記複数のホログラフィック画像のある画像の実効光路長が、光学的焦点調節機器の結像面からの前記画像の実効光路長と実質的に等しくなるように前記基板と位置合わせされた焦点調節機器であり、物体が位置する前記基板からの距離を求めるために、前記結像面に、測定される物体の画像および前記複数のホログラフィック画像のある画像を合焦するように動作する可変焦点レンズを有する前記焦点調節機器をさらに含む、請求項３〜７のいずれかに記載の測定機器。
【請求項９】
請求項３に記載の測定機器を含み、前記少なくとも１つのホログラフィック画像が調査対象の物体の画像を測定スケールと重ね合わせるように見えるように調査対象の前記物体および前記ホログラフィック画像の少なくとも１つに光学的に合焦されるように動作する顕微鏡。
【請求項１０】
可変焦点の光学機器を較正する方法であって、
測定機器を提供するステップを含み、前記測定機器は、ホログラムを提供する回折構造を含む基板を含み、前記ホログラムが、複数のホログラフィック画像を符号化（ｅｎｃｏｄｅ）し、前記複数のホログラフィック画像の各画像が前記基板から所定の実効光路長のところにホログラフィック位置を有し、前記複数のホログラフィック画像の各画像の前記基板からの前記所定の実効光路長が、前記複数のホログラフィック画像のその他の画像の前記基盤からの前記所定の実効光路長と異なり、前記複数のホログラフィック画像が距離を表す較正スケールを提供し、前記複数のホログラフィック画像が前記基板からの距離のスケールを提供する、ステップを含む方法であって、
前記方法は、
前記基板からの前記複数のホログラフィック画像の実効光路長が、前記光学機器の結像面からの前記画像の実効光路長に対応するように、前記光学機器と前記基板とを位置合わせするステップと、
前記複数のホログラフィック画像を出現させるために前記基板を参照光で照明し、前記結像面に前記複数のホログラフィック画像の異なる画像を連続的に合焦するために前記光学機器を操作するステップと、
前記複数のホログラフィック画像のうちの特定の画像が結像面に合焦されるときの前記光学機器の構成を、前記画像の既知の特性と関連付けることによって、前記光学機器を較正するステップと
を含む方法。
【請求項１１】
可変焦点の光学機器を較正する方法であって、
測定機器を提供するステップを含み、前記測定機器は、ホログラムを提供する回折構造を含む基板を含み、前記ホログラムは、複数のホログラフィック画像を符号化（ｅｎｃｏｄｅ）し、前記複数のホログラフィック画像の各画像が前記基板から所定の実効光路長のところにホログラフィック位置を有し、前記複数のホログラフィック画像の各画像の前記基板からの前記所定の実効光路長が、前記複数のホログラフィック画像のその他の画像の前記基盤からの前記所定の実効光路長と異なり、前記複数のホログラフィック画像が距離を表す較正スケールを提供し、
前記複数のホログラフィック画像を出現させるために前記基板を参照光で照明し、前記結像面に前記複数のホログラフィック画像の異なる画像を連続的に合焦するために前記光学機器を操作するステップと、
前記複数のホログラフィック画像のうちの特定の画像が結像面に合焦されるときの前記光学機器の構成を、前記画像の既知の特性と関連付けることによって、前記光学機器を較正し、前記既知の特性は前記画像により表される寸法スケールを含むステップと、
を含む方法。
【請求項１２】
前記複数のホログラフィック画像が前記基板からの距離のスケールを提供する、請求項１１に記載の方法。
【請求項１３】
前記複数のホログラフィック画像が、一定の間隔の前記基板からの実効光路長を記す連続した画像である、請求項１０〜１２のいずれかに記載の方法。
【請求項１４】
前記複数のホログラフィック画像の前記各画像が、前記基板からの前記各画像の実効光路長の記号表現を含む、請求項１０〜１３のいずれかに記載の方法。
【請求項１５】
前記測定装置は、前記複数のホログラフィック画像のそれぞれの前記所定の実効光路長の詳細を提供するオペレータガイドをさらに含む、請求項１０〜１４のいずれかに記載の方法。
【請求項１６】
前記複数のホログラフィック画像のうちの特定の画像が結像面に合焦されるときの前記光学機器の構成を、前記画像の既知の特性と関連付ける前記ステップが、前記光学機器の前記構成の焦点距離を、前記結像面からの前記特定の画像の前記所定の実効光路長と関連付けるステップを含む、請求項１０〜１５のいずれかに記載の方法。
【請求項１７】
前記複数のホログラフィック画像のうちの特定の画像が結像面に合焦されるときの前記光学機器の構成を、前記画像の既知の特性と関連付ける前記ステップが、前記光学機器の前記構成において生成される画像のための寸法スケールを、前記光学機器を使用して測定される前記特定の画像の寸法と、前記特定の画像において表される実世界の物体の対応する既知の寸法とを比較することによって決定するステップを含む、請求項１０〜１６のいずれかに記載の方法。
【請求項１８】
前記複数のホログラフィック画像が異なるサイズの実世界の物体を表す、請求項１０〜１７のいずれかに記載の方法。
【請求項１９】
前記光学機器が、カメラ、望遠鏡、双眼鏡、ペリスコープ、顕微鏡からなる群の中から選択される、請求項１０〜１８のいずれかに記載の方法。